(57)【要約】【課題】  受信品質の良くない映像信号に対して、色のちらつきや不要な色付きを防ぎ、各信号の方式や入力形態に合わせて最適な色付き・色消え動作を行うカラーキラー制御装置を提供することを目的とする。【解決手段】  映像信号に含まれるノイズの量に応じて、当該映像信号に対する色復号処理を抑制するカラーキラー処理装置において、ノイズ量検出器は、映像信号に含まれるノイズ量を所定のタイミングで検出し、ノイズ量検出器は、検出されたノイズ量を第１の所定ノイズ量および第１の所定ノイズ量より小さな第２の所定ノイズ量と比較すると共に、検出されたノイズ量が第１の所定ノイズ量より大きい場合には色復号処理を抑制し、検出されたノイズ量が第２のノイズ量より小さい場合には色復号処理を許可する。【選択図】  図１
2005192122.tif 000002
【特許請求の範囲】
【請求項１】
映像信号に含まれるノイズの量に応じて、当該映像信号に対する色復号処理を抑制するカラーキラー処理装置であって、
前記映像信号に含まれるノイズ量を所定のタイミングで検出するノイズ量検出手段と、
前記検出されたノイズ量を第１の所定ノイズ量および当該第１の所定ノイズ量より小さな第２の所定ノイズ量と比較するノイズ判定手段と、
前記検出されたノイズ量が前記第１の所定ノイズ量より大きい場合には、前記色復号処理の抑制を指示する第１のカラーキラー手段と、
前記検出されたノイズ量が前記第２のノイズ量より小さい場合には、前記色復号処理の許可を指示する第１のカラーキラー抑制手段とを備えるカラーキラー処理装置。
【請求項２】
さらに、前記検出されたノイズ量が前記第１の所定ノイズ量以下かつ前記第２の所定ノイズ量以上である場合には、前記色復号処理の抑制および許可の内で直前のタイミングで指示された方を引き続き指示する色復号処理指示保持手段を備える請求項１乃至２に記載のカラーキラー処理装置。
【請求項３】
前記映像信号の信号方式と入力形態を検出する映像信号認識手段と、
前記映像信号の信号方式および入力形態のそれぞれに対応する前記第１の所定ノイズ量および前記第２の所定ノイズ量を記憶する第１のメモリ手段とを備え、
前記ノイズ判定手段は前記第１のメモリ手段に記憶されている前記検出された信号方式及び入力形態に対応する前記第１の所定ノイズ量および前記第２の所定ノイズ量と前記検出されたノイズ量を比較することを特徴とする請求項１乃至２に記載のカラーキラー処理装置。
【請求項４】
前記映像信号の信号方式と入力形態を検出する映像信号認識手段と、
前記映像信号の信号方式および入力形態のそれぞれに対応する前記第１の所定ノイズ量および前記第２の所定ノイズ量を記憶する第１のメモリ手段とを備え、
前記ノイズ判定手段は前記第１のメモリ手段に記憶されている前記検出された信号方式及び入力形態に対応する前記第１の所定ノイズ量および前記第２の所定ノイズ量と前記検出されたノイズ量を比較することを特徴とする請求項１乃至２に記載のカラーキラー処理装置。
【請求項５】
所定のタイミングで前記色復調処理の抑制および許可状態を判定する色復調状態検出手段と、
色復調処理が抑制されていると判定される度にインクリメントされる第１のカウンタ手段と、
色復調処理が許可されていると判定される度にインクリメントされる第２のカウンタ手段と、
前記第１のカウンタおよび前記第２のカウンタの何れか一方がインクリメントされる場合には、他方をクリアするカウンタ管理手段と、
前記第１のカウンタが所定の基準値より大きい場合には、前記色復調処理の抑制を指示する第２のカラーキラー手段と、
前記第２のカウンタが前記所定の基準値より大きい場合には、前記色復号処理の許可を指示する第２のカラーキラー抑制手段とを備えるカラーキラー処理装置。
【発明の詳細な説明】
【技術分野】
【０００１】
本発明は、テレビ等の映像信号のカラーキラー装置に関する。
【背景技術】
【０００２】
図１３に、従来よりカラーテレビジョン受像器に於いて、カラー放送の受信時にはカラー画像を再生させ、白黒放送の受信時には白黒画像を再生させるカラーキラー装置の一例（特許文献１）を示す。カラーキラー装置ＣＫｃは、入力されるコンポジット信号等の同期信号を含む映像信号Ｓｖｉに含まれるノイズ量が所定値以上であれば、映像信号Ｓｖｉに対してカラーキラー処理を施して、映像信号Ｓｖｉがカラー画像信号であっても、白黒画像の映像信号Ｓｖｏとして複合して出力する。なお、カラーキラー処理とは、一般に、入力される映像信号Ｓｖｉに対して色帯域増幅処理を行わずに、映像信号Ｓｖｉがカラー画像信号であっても、色を消して白黒画像信号として復号する処理のことを言う。
【０００３】
カラーキラー装置ＣＫｃは、入力端子１、ノイズ量検出器２、色帯域増幅器３、およびノイズ量比較器５を含む。ノイズ量検出器２は、入力される映像信号Ｓｖｉ映像信号に含まれるノイズの量ＮＶを検出して、ノイズ量信号Ｓｎｖを生成する。ノイズ量比較器５は、外部から固定的に与えられるノイズ量閾値Ｔｖｎと、ノイズ量信号Ｓｎｖとに基づいて、二値の信号であるキラー制御信号Ｓｋを生成する。具体的には、ノイズ量ＮＶがノイズ量閾値Ｔｖｎより大きい場合には、Ｈｉｇｈの値のキラー制御信号Ｓｋｃが生成される。ノイズ量ＮＶがノイズ量閾値Ｔｖｎ以下の場合には、Ｌｏｗの値のキラー制御信号Ｓｋが生成される。
【０００４】
色帯域増幅器３は、キラー制御信号Ｓｋｃの値に応じて、入力される映像信号Ｓｖｉに対して択一的に色帯域増幅処理を施して、映像信号Ｓｖｏを生成して出力する。本例においては、キラー制御信号Ｓｋｃの値がＨｉｇｈである場合には、映像信号Ｓｖｉに対して色帯域増幅処理を抑制する、いわゆるカラーキラー処理を施して、映像信号Ｓｖｉから色を消した白黒画像の映像信号Ｓｖｏを出力する。一方、キラー制御信号Ｓｋｃの値がＬｏｗの場合には、映像信号Ｓｖｉのカラーバースト信号の有無に応じて色帯域増幅処理を施して、映像信号Ｓｖｏを生成して出力する。
【０００５】
今後、必要に応じて、前者のカラーキラー処理の結果生成された映像信号Ｓｖｏをカラーキラー映像信号Ｓｖｏｋと呼び、後者のカラーキラー処理を経ずに生成された映像信号Ｓｖｏを非カラーキラー映像信号Ｓｖｏｎと識別する。このように、色帯域増幅器３は映像信号Ｓｖｉに、色復調処理を施して、映像信号Ｓｖｏを生成する。
【０００６】
図１４に示すフローチャートを参照して、カラーキラー装置ＣＫｃにおけるカラーキラー処理の動作について説明する。入力端子１を介して、映像信号Ｓｖｉが入力された時点で、カラーキラー装置ＣＫｃの動作が開始する。
【０００７】
先ず、ステップＳ２において、ノイズ量検出器２によって、映像信号Ｓｖｉのノイズの量ＮＶが検出されて、ノイズ量信号Ｓｎｖが生成される。そして、制御は次のステップＳ３に進む。
【０００８】
ステップＳ３において、ノイズ量比較器５はノイズ量検出器２から出力されたノイズ量信号Ｓｎｖが外部から供給されるノイズ量閾値Ｔｖｎより大きいか否かを判断する。Ｙｅｓと判断される場合、制御はステップＳ１４に進む。一方、Ｎｏと判断される場合、制御はステップＳ１６に進む。
【０００９】
ステップＳ１４において、ノイズ量比較器５はＨｉｇｈの値のキラー制御信号Ｓｋｃを生成する。色帯域増幅器３は、このキラー制御信号Ｓｋｃに基づいて、映像信号Ｓｖｉに対してカラーキラー処理を施して、映像信号Ｓｖｏを生成する。この場合、生成される映像信号Ｓｖｏは、上述のカラーキラー映像信号Ｓｖｏｋである。そして制御は、上述のステップＳ２に戻る。
【００１０】
ステップＳ１６において、ノイズ量比較器５はＬｏｗの値のキラー制御信号Ｓｋを生成する。色帯域増幅器３は、このキラー制御信号Ｓｋに基づいて、映像信号Ｓｖｉに対して、カラーキラー処理の適用せずに、映像信号Ｓｖｏを生成する。この場合、生成される映像信号Ｓｖｏは上述の非カラーキラー映像信号Ｓｖｏｎである。よって、映像信号Ｓｖｉが通常のカラー画像信号であればカラー画像が再生されるが、白黒画像信号であれば白黒画像が再生される。そして、制御は上述のステップＳ２に戻る。
【００１１】
ステップＳ１４或いはステップＳ１６の後に、一端ステップＳ２に戻った制御は、カラーキラー装置ＣＫｃの電源が切られるまで、上述のステップＳ２〜Ｓ１６の処理を繰り返す。なお、このステップＳ２〜ステップＳ１６の処理が一通り実行されて、再度ステップＳ２の処理が実行されるまでの行程を、カラーキラー処理の一制御サイクルと呼ぶ。
【００１２】
このように、カラーキラー装置ＣＫｃにおいては、映像信号Ｓｖｉに弱電界時等ノイズの多い場合には、映像信号Ｓｖｉがカラー画像信号であっても、ノイズを色信号と誤って復調することのないように色を消して、白黒画像のカラーキラー映像信号Ｓｖｏｋとして出力する。
【特許文献１】特開昭５６−５４１８５号公報
【発明の開示】
【発明が解決しようとする課題】
【００１３】
上述のカラーキラー装置ＣＫｃにおいては、入力される映像信号Ｓｖｉが強電界のテレビ信号で受信状態が良い信号の場合は、カラーバースト信号が正常に得られるのでカラーキラー処理適用の適否を正常に行うことができる。しかしながら、チューナーから出力される弱電界の映像信号や、劣化したＶＴＲ信号などノイズの多い信号や白黒信号が映像信号Ｓｖｉとして入力される場合には、図１５に示すように、そのノイズ量が短時間の間に連続的にノイズ量閾値Ｔｖｎを中心として上下に変化することが多い。
【００１４】
図１５において、縦軸はノイズ量ＶＮを示し、横軸は時刻ｔを示す。曲線Ｌ（Ｓｎｖ）は、カラー画像信号である映像信号Ｓｖｉのノイズ量ＶＮであるノイズ量信号Ｓｎｖの値を示す。曲線Ｌ（Ｓｎｖ）は、時刻ｔ０〜ｔ１の期間Ｐ１はノイズ量閾値Ｔｖｎ以下であり、時刻ｔ１〜ｔ２の期間Ｐ２はノイズ量閾値Ｔｖｎより大きく、時刻ｔ２〜時刻ｔ３の期間Ｐ３はノイズ量閾値Ｔｖｎ以下であり、時刻ｔ３以降はノイズ量閾値Ｔｖｎより大きい。よって、キラー制御信号Ｓｋｃの値は、期間Ｐ１でＬｏｗ、期間Ｐ２でＨｉｇｈ、期間Ｐ３でＬｏｗ、そして期間Ｐ４でＨｉｇｈと交互に変化している。
【００１５】
よって、色帯域増幅器３はキラー制御信号Ｓｋｃに応答して、期間Ｐ１および期間Ｐ３でカラーキラー処理をＯＦＦにして、非カラーキラー映像信号Ｓｖｏｎを出力して、カラー画像を再生させる。そして、期間Ｐ２および期間Ｐ４でカラーキラー処理をＯＮにして、カラーキラー映像信号Ｓｖｏｋを出力して、白黒画像を再生させる。
【００１６】
このように、ノイズ量信号Ｓｎｖ（ノイズ量ＶＮ）が、ノイズ量閾値Ｔｖｎに対して頻繁に上下に変化する、つまりジッターに同期してカラーキラー処理のＯＮ／ＯＦＦもジッターする。その結果、カラー画像信号である映像信号Ｓｖｉから出力される映像信号Ｓｖｏは、短い間隔でカラーキラー映像信号Ｓｖｏｋと非カラーキラー映像信号Ｓｖｏｎとに交互に変化するために、再生画像において色のちらつきが発生する。
【００１７】
また、映像信号Ｓｖｉにノイズが連続的に重畳している（図１５）のではなく、図１６に示すように、白黒画像の映像信号Ｓｖｉの水平同期信号ＨＳＹＮＣのカラーバースト信号等に短期間に多くのノイズが重畳している場合には、映像信号Ｓｖｉが白黒画像信号であっても、ノイズがカラーバースト信号と誤認識されてしまう。この場合、カラーキラー装置ＣＫｃにおいては、カラーキラー処理が実行されないので、結果、本来白黒である映像信号Ｓｖｉの再生画像においても、ノイズに対応して色帯域増幅処理が施されて、再生画像に本来不要な色付きが発生する。
【００１８】
さらに、入力方式や形態の種類の別によって映像信号Ｓｖｉのレベルは異なる。つまり、映像信号Ｓｖｉの方式や形態によっても、再生画像の色のちらつきや不要な色付きが発生するレベルが異なる。このような事態を防止するためには、映像信号Ｓｖｉの入力方式や形態の種類のそれぞれに対して適正なノイズ量閾値Ｔｖｎを設定する必要があるが、非常に困難である。
【００１９】
本発明は、受信品質の良くない映像信号Ｓｖｉ信号に対して、色のちらつきや不要な色付きを防ぎ、各信号の方式や入力形態に合わせて最適な色付き・色消え動作を行うカラーキラー制御装置を提供することを目的とする。
【課題を解決するための手段】
【００２０】
映像信号に含まれるノイズの量に応じて、当該映像信号に対する色復号処理を抑制するカラーキラー処理装置であって、
【００２１】
前記映像信号に含まれるノイズ量を所定のタイミングで検出するノイズ量検出手段と、
【００２２】
前記検出されたノイズ量を第１の所定ノイズ量および当該第１の所定ノイズ量より小さな第２の所定ノイズ量と比較するノイズ判定手段と、
【００２３】
前記検出されたノイズ量が前記第１の所定ノイズ量より大きい場合には、前記色復号処理の抑制を指示する第１のカラーキラー手段と、
【００２４】
前記検出されたノイズ量が前記第２のノイズ量より小さい場合には、前記色復号処理の許可を指示する第１のカラーキラー抑制手段とを備える。
【発明の効果】
【００２５】
本発明は、弱電界の映像信号などノイズが多いカラー映像信号を入力した時の再生画像で色のちらつきや、白黒映像信号を入力した時の再生画像場合でのノイズによる不要な色付きをなくし、各信号の方式や入力形態に合わせ色付き・色消え動作を実現でき、テレビ受信機の品質および性能を向上させることが出来る。
【発明を実施するための最良の形態】
【００２６】
（第１の実施形態）
図１、図２、および図３を参照して、本発明の第１の実施形態にかかるカラーキラー装置について説明する。図１に示すように、カラーキラー装置ＣＫ１は、図１３に示したカラーキラー装置ＣＫｃに類似した構成を有しており、色帯域増幅器３およびノイズ量比較器５がそれぞれ、色帯域増幅器３ａおよびノイズ量比較器５ａに交換されている。
【００２７】
ノイズ量比較器５が外部から固定的に与えられるノイズ量閾値Ｔｖｎとノイズ量信号Ｓｎｖとに基づいて、二値の信号であるキラー制御信号Ｓｋｃを生成するのに対して、ノイズ量比較器５ａは外部から固定的に与えられる２種類のノイズ量閾値Ｔｖｎ１およびＴｖｎ２とノイズ量信号Ｓｎｖに基づいて、キラー制御信号Ｓｋと共に状態保持指示信号Ｓｈを生成する。なお、第１のノイズ量閾値Ｔｖｎ１は、第２のノイズ量閾値Ｔｖｎ２より所定のノイズ量ΔＴｖｎだけ大きな値に設定される。この所定ノイズ量ΔＴｖｎは、映像信号Ｓｖｉの受信品質や、カラーキラー装置ＣＫ１の特性に応じて適宜決められるものとする。また、第１のノイズ量閾値Ｔｖｎ１は、好ましくは上述のノイズ量閾値Ｔｖｎの近傍の値に設定されるが、映像信号Ｓｖｉの受信品質や、カラーキラー装置ＣＫ１の特性に応じて適宜決められることは言うまでもない。
【００２８】
図２に示すフローチャートを参照して、カラーキラー装置ＣＫ１におけるカラーキラー処理の制御について説明する。なお、同フローチャートは、図１４に示したカラーキラー装置ＣＫｃに関するフローチャートにおいて、ステップＳ３とステップＳ１６の間にステップＳ１２が挿入されていると共に、ステップＳ１８がステップＳ１２とステップＳ２の間に追加されている。さらに、ステップＳ３がステップＳ１０に置き換えられている。
【００２９】
カラーキラー装置ＣＫ１においても、入力端子１を介して、映像信号Ｓｖｉが入力された時点で、カラーキラー処理が開始する。先ず、ステップＳ２において、ノイズ量検出器２によって、映像信号Ｓｖｉのノイズの量ＮＶが検出されて、ノイズ量信号Ｓｎｖが生成される。そして、制御は新たに設けられた次のステップＳ１０に進む。
【００３０】
ステップＳ１０において、ノイズ量比較器５はノイズ量検出器２から出力されたノイズ量信号Ｓｎｖが第１のノイズ量閾値Ｔｖｎ１より大きいか否かを判断する。Ｙｅｓと判断される場合、制御はステップＳ１４に進む。一方、Ｎｏと判断される場合、制御は新たに設けられたステップＳ１２に進む。
【００３１】
ステップＳ１４において、ノイズ量比較器５はＨｉｇｈの値のキラー制御信号Ｓｋを生成する。色帯域増幅器３は、このキラー制御信号Ｓｋに基づいて、映像信号Ｓｖｉに対してカラーキラー処理を施して、映像信号Ｓｖｏを生成する。この場合、生成される映像信号Ｓｖｏは、上述のカラーキラー映像信号Ｓｖｏｋである。そして制御は、上述のステップＳ２に戻る。
【００３２】
ステップＳ１２において、ノイズ量比較器５はさらに、ノイズ量信号Ｓｎｖが第２のノイズ量閾値Ｔｖｎ２以下であるか否かを判断する。Ｙｅｓと判断される場合は、制御はステップＳ１６に進む。一方、Ｎｏと判断される場合、制御は新たに設けられたステップＳ１８に進む。
【００３３】
ステップＳ１６において、ノイズ量比較器５はＬｏｗの値のキラー制御信号Ｓｋを生成する。色帯域増幅器３は、このキラー制御信号Ｓｋに基づいて、映像信号Ｓｖｉに対して、カラーキラー処理の適用せずに、映像信号Ｓｖｏを生成する。この場合、生成される映像信号Ｓｖｏは上述の非カラーキラー映像信号Ｓｖｏｎである。よって、映像信号Ｓｖｉが通常のカラー画像信号であればカラー画像が再生され、白黒画像信号であれば白黒画像が再生される。
【００３４】
ステップＳ１８において、ノイズ量比較器５は状態保持指示信号Ｓｈを生成する。色帯域増幅器３は、状態保持指示信号Ｓｈに基づいて、直前の制御サイクルに於いて、映像信号Ｓｖｉに対して適用されていたカラーキラー処理を継続して適用する。つまり、直前の制御サイクルにおいて、ステップＳ１４のカラーキラー処理が実行されていれば、カラーキラー処理を引き続き実行させる。一方、直前の制御サイクルにおいて、ステップＳ１６のカラーキラー処理抑制が実行されていれば、カラーキラー処理を引き続き抑制させる。
【００３５】
このように、本実施形態においては、入力される映像信号Ｓｖｉにノイズ量（ＮＶ；Ｓｎｖ）に対して、第１のノイズ量閾値Ｔｖｎ１および第２のノイズ量閾値Ｔｖｎ２の２つの閾値と比較する。ノイズ量（ＮＶ；Ｓｎｖ）が第１のノイズ量閾値Ｔｖｎ１より大きければカラーキラー処理を実施して映像信号Ｓｖｉから色を消した白黒のカラーキラー映像信号Ｓｖｏｋを生成する。そしてノイズ量（ＮＶ；Ｓｖｎ）が第２のノイズ量閾値Ｔｖｎ２以下の場合は、カラーキラー処理を抑制し、映像信号Ｓｖｉがカラー信号であれば色のついた非カラーキラー映像信号Ｓｖｏｎを生成する。この意味において、第１のノイズ量閾値Ｔｖｎ１を色消え閾値と、第２のノイズ量閾値Ｔｖｎ２を色付き閾値と識別できる。
【００３６】
つまり、映像信号Ｓｖｉのノイズ量（ＮＶ：Ｓｖｎ）が色付き閾値（Ｔｖｎ２）以下であればカラーキラーＯＦＦ（Ｓｋ：Ｌｏｗ）を、ノイズ量（ＮＶ；Ｓｖｎ）が色付き用閾値（Ｔｖｎ２）と色消え用閾値（Ｔｖｎ１）の間であれば状態保持（Ｓｈ）を、ノイズ量（ＮＶ；Ｓｖｎ）が色消え閾値（Ｔｖｎ１）より大きければカラーキラーＯＮ（Ｓｋ；Ｈｉｇｈ）を、色帯域増幅器３ａに指示する。そして、色帯域増幅器３で、これらの指示に基づいて、映像信号Ｓｖｉに対して、強制的に色付きおよび色消え処理を実施する。
【００３７】
このように、ノイズ量比較器５ａにおいて、色消え用閾値（Ｔｖｎ１）と色付き用閾値（Ｔｖｎ２）に差を持たせることで、図３に示すように、Ｐ２期間で入力信号（Ｓｖｉ）のノイズ量（ＮＶ；Ｓｎｖ）が色付き閾値（Ｔｖｎ１）より大きくなった場合も、すぐに色消えをおこさず色状態を保持し、閾値（Ｔｖ１）付近のノイズ量が検出される信号を入力した場合にも色のちらつきをなくすことができる。Ｐ５期間になりノイズ量（ＮＶ：Ｓｎｖ）がかなり大きくなり色消え閾値（Ｔｎｖ１）を越えた場合、初めて色消えを行う。
【００３８】
（第２の実施形態）
図４、図５、および図６を参照して、本発明の第２の実施形態にかかるカラーキラー装置について説明する。図４に示すように、カラーキラー装置ＣＫ２は、図１に示したカラーキラー装置ＣＫ１に類似した構成を有しており、色帯域増幅器３ａおよびノイズ量比較器５ａがそれぞれ、色帯域増幅器３ｂおよびノイズ量比較器５ｂに交換されている。さらに、待避メモリ７および方式・形態検出器６が新たに設けられている。
【００３９】
方式・形態検出器６は、カラーキラー装置ＣＫ２に入力される映像信号Ｓｖｉの信号方式および信号形態を検出して、方式・形態信号Ｓｆを生成する。方式・形態信号Ｓｆは、ノイズ量比較器５ｂに入力される。本例においては、方式・形態検出器６は、映像信号Ｓｖｉから直接その信号方式および信号形態を検出しているが、外部の別の手段から、入力中の映像信号Ｓｖｉの信号方式および信号形態の情報を受け取るように構成しても良い。
【００４０】
待避メモリ７は、複数種類の信号方式或いは信号形態の映像信号Ｓｖｉがカラーキラー装置ＣＫ２に入力される場合に、映像信号Ｓｖｉのそれぞれの信号方式および信号形態毎に、あらかじめ設定されている第１のノイズ量閾値Ｔｖｎ１および第２のノイズ量閾値Ｔｖｎ２を格納している。そして、方式・形態検出器６から出力される方式・形態信号Ｓｆに応じて、入力されている映像信号Ｓｖｉに適合した第１のノイズ量閾値Ｔｖｎ１および第２のノイズ量閾値Ｔｖｎ２をノイズ量比較器５ｂに供給する。
【００４１】
図５に、待避メモリ７に格納されている各種方式および形態毎の第１のノイズ量閾値Ｔｖｎ１および第２のノイズ量閾値Ｔｖｎ２の例を示す。同図において方式としては、ＮＴＳＣ３．５８、ＰＡＬ−ＢＧＨ１、ＳＥＣＡＭ、およびＮＴＳＣ４．４３の４種類が挙げられている。信号形態としては、Ｃｏｍｐｏｎｅｎｔ、ＹＧ、およびＹＵＶの３種類が挙げられている。これら４種類の方式と３種類の形態のそれぞれの組み合わせにおいて、第１のノイズ量閾値Ｔｖｎ１（色消し閾値０１〜０３，１１〜１３、４１〜４３、５１〜５３）および第２のノイズ量閾値Ｔｖｎ２（色付き閾値０１〜０３，１１〜１３、４１〜４３、５１〜５３）が設定されている。
【００４２】
ノイズ量比較器５ｂは、方式・形態検出器６から出力される方式・形態信号Ｓｆに基づいて、待避メモリ７に格納されている種々の信号方式および信号形態に適合した第１のノイズ量閾値Ｔｖｎ１および第２のノイズ量閾値Ｔｖｎ２の内で、入力中の映像信号Ｓｖｉに対応するものを読み出す。そして、読み出された第１のノイズ量閾値Ｔｖｎ１および第２のノイズ量閾値Ｔｖｎ２と、ノイズ量信号Ｓｎｖとに基づいて、カラーキラー装置ＣＫ１におけるのと同様にカラーキラー処理の制御を行う。
【００４３】
図６に示すフローチャートを参照して、カラーキラー装置ＣＫ２におけるカラーキラー処理の制御について説明する。なお、同フローチャートは、図２に示したカラーキラー装置ＣＫ１に関するフローチャートにおいて、ステップＳ２とステップＳ１０との間にステップＳ４、Ｓ６、Ｓ８、およびＳ９が挿入されている。
【００４４】
カラーキラー装置ＣＫ２の動作が開始すると、先ずステップＳ２において、映像信号Ｓｖｉのノイズの量ＮＶが検出されて、ノイズ量信号Ｓｎｖが生成される。そして、制御は新たに設けられた新たなステップＳ４に進む。
【００４５】
ステップＳ４において、方式・形態検出器６は映像信号Ｓｖｉの信号方式を検出する。そして、制御は新たなステップＳ６に進む。
【００４６】
ステップＳ６において、ノイズ量比較器５ｂは更に映像信号Ｓｖｉの信号形態を検出する。そして、方式・形態信号Ｓｆを生成する。そして、制御は新たなステップＳ８に進む。
【００４７】
ステップＳ８において、方式・形態信号Ｓｆに対応する第１のノイズ量閾値Ｔｖｎ１および第２のノイズ量閾値Ｔｖｎ２が待避メモリ７に格納されているか否かが判断される。格納されていなければＮｏと判断されて、制御は上述のステップＳ２に戻る。これは、適正な第１のノイズ量閾値Ｔｖｎ１および第２のノイズ量閾値Ｔｖｎ２に基づかない、誤ったカラーキラー制御を防止するためである。一方、格納されている場合にはＹｅｓと判断されて、制御は新たなステップＳ９に進む。
【００４８】
ステップＳ９において、入力中の映像信号Ｓｖｉに対応する第１のノイズ量閾値Ｔｖｎ１および第２のノイズ量閾値Ｔｖｎ２がノイズ量比較器５ｂに出力される。そして、制御は上述のステップＳ１０〜Ｓ１８を経て、ステップＳ２に戻る。
【００４９】
このように、ノイズ量（ＮＶ；Ｓｎｖ）と比較する色消え閾値（Ｔｖｎ１）と色付き閾値（Ｔｖｎ２）を入力信号（Ｓｖｉ）に対応して変更して使用することで、信号方式および信号形態（Ｓｆ）に対応した色付き・色処理を行い、再生画像の色のちらつきをなくすことが出来る。本実施形態においては、上述の第１の実施形態における効果に加えて、信号のレベルが方式や入力形態によって異なるので、入力信号（Ｓｖｉ）を他方式のものに切り換えた場合は、色付き閾値（Ｔｖｎ２）および色消し閾値（Ｔｖｎ１）が変化することに起因する再生画像の色のちらつきを防止できる。
【００５０】
（第３の実施形態）
図７、図８、および図９を参照して、本発明の第３の実施形態にかかるカラーキラー装置ＣＫ３について説明する。図７に示すように、カラーキラー装置ＣＫ３は、図４に示したカラーキラー装置ＣＫ２において、色帯域増幅器３ｂが色帯域増幅器３ｃに交換されると共に、待避メモリ８、カウンタ９、および比較器１０が新たに設けられている。カウンタ９は、色帯域増幅器３ｃが上述のステップＳ１４、Ｓ１６、およびＳ１８の何れのカラーキラー処理を実行しているかを検出して、映像信号Ｓｖｉに対して同一のステップ（同一のカラーキラー処理）が連続して実行された回数をカウントして連続回数信号Ｓｃを生成する。
【００５１】
つまり、カウンタ９は、色帯域増幅器３ｃにおける映像信号Ｓｖｉに対する色復調処理状態を検出して、同一の色復調状態が連続する回数をカウントする。言い換えれば、カウンタ９は、カラーキラー処理の実行が連続する回数をカウントする場合と、カラーキラー処理の抑制が連続する回数をカウントする場合がある。この意味において、前者の場合の連続回数信号Ｓｃをカラーキラー実行連続カウンタＳｃｋと呼び、後者の場合の連続回数信号Ｓｃをカラーキラー抑制連続カウンタＳｃｎと呼んで、必要に応じて、それぞれを識別するものとする。
【００５２】
待避メモリ８は、カウンタ９が生成した連続回数信号Ｓｃを一時的に格納する。比較器１０は、連続回数信号Ｓｃと外部から供給される基準値Ｖｒとを比較して、キラー制御信号Ｓｋｒを生成する。つまり、カラーキラー装置ＣＫ３においては、上述のカラーキラー装置ＣＫ２において、上述のカラーキラー装置ＣＫ２におけるカラーキラー処理と平行して、待避メモリ８、カウンタ９、および比較器１０によるカラーキラー処理が実行される。
【００５３】
図８に示すフローチャートを参照して、カラーキラー装置ＣＫ３によるカラーキラー処理の制御について説明する。なお、カラーキラー装置ＣＫ２と共通のカラーキラー処理動作については既に説明しているので、カラーキラー装置ＣＫ３に固有の待避メモリ８、カウンタ９、および比較器１０に関する動作に重点を置いて説明する。
【００５４】
ステップＳ１０２において、色帯域増幅器３ｃがカラーキラー処理に関するステップＳ１４、Ｓ１６、およびＳ１８の何れの動作を実行しているかを検出する。そして、制御は次のステップＳ１０４に進む。
【００５５】
ステップＳ１０４において、カラーキラー処理を抑制するステップＳ１６が実行されているか否かが判断される。ステップＳ１６が実行されていれば、映像信号Ｓｖｉがカラー画像信号の場合には、映像信号Ｓｖｉに色が付けられて非カラーキラー映像信号Ｓｖｏｎが生成される。Ｎｏ、つまりカラーキラー処理が実行されおり、映像信号Ｓｖｉから色が消されたカラーキラー映像信号Ｓｖｏｋが生成されている場合、制御はステップＳ１０６に進む。
【００５６】
ステップＳ１０６において、カラーキラー抑制連続カウンタＳｃｎの値がクリアされる。そして、制御は次のステップＳ１０８に進む。
【００５７】
ステップＳ１０８において、カラーキラー実行連続カウンタＳｃｋの値が１だけインクリメントされる。そして、制御は次のステップＳ１１０に進む。
【００５８】
ステップＳ１１０において、カラーキラー実行連続カウンタＳｃｋが基準値Ｖｒより大きいか否かが判断される。Ｙｅｓの場合、制御は次のステップＳ１１２に進む。
【００５９】
ステップＳ１１２において、Ｈｉｇｈのキラー制御信号Ｓｋｒが生成されて、カラーキラー処理が実行される。つまり、映像信号Ｓｖｉから色が消されたカラーキラー映像信号Ｓｖｏｋが生成される。そして、制御はステップＳ１０２に戻る。
【００６０】
一方、ステップＳ１１０においてＮｏ，つまりカラーキラー実行連続カウンタＳｃｋが基準値Ｖｒ以下であると判断される場合、制御は上述のステップＳ１０２に戻る。
【００６１】
上述のステップＳ１０４でＹｅｓ、つまりカラーキラー処理が抑制されおり、映像信号Ｓｖｉがカラー画像信号であれば、色がつけられた非カラーキラー映像信号Ｓｖｏｎが生成されている場合には、制御はステップＳ１１４に進む。
【００６２】
ステップＳ１１４において、カラーキラー実行連続カウンタ信号Ｓｃｋがクリアされる。そして、制御は次のステップＳ１１６に進む。
【００６３】
ステップＳ１１６において、カラーキラー抑制連続カウンタＳｃｎが１だけインクリメントされる。そして、制御は次のステップＳ１１８に進む。
【００６４】
ステップＳ１１８において、カラーキラー抑制連続カウンタＳｃｎが基準値Ｖｒより大きいか否かが判断される。Ｙｅｓの場合、制御は次のステップＳ１２０に進む。一方、Ｎｏと判断される場合、制御はステップＳ１０２に戻る。
【００６５】
ステップＳ１２０において、Ｌｏｗのキラー制御信号Ｓｋｒが生成されて、カラーキラー処理が抑制される。つまり、映像信号Ｓｖｉがカラー画像信号である倍には、色が付けられた非カラーキラー映像信号Ｓｖｏｎが生成される。そして、制御はステップＳ１０２に戻る。
【００６６】
このように、入力した映像信号Ｓｖｉを基に、色帯域増幅器３ｃでの色復調状態の色付き状態と色消え状態をカウンタ９においてカウントして、その連続カウント値を待避メモリ８に待避し、比較器１０において、色消え状態カウンタのカウント回数（Ｓｃｋ）が基準値（Ｖｒ）より大きければ強制カラーキラーをＯＮし、色付き状態カウンタのカウント回数（Ｓｃｎ）が基準値（Ｖｒ）より大きいなら強制カラーキラーをＯＦＦして、色帯域増幅器３において強制的に色付きおよび色消えを行い、単発的に発生したノイズによる再生画像の不要な色付きを防ぐ。図９に示すように、白黒信号入力時にカラーバーストに発生したノイズＮ１やノイズＮ２に対して、カラーキラー制御器（３ｃ）がノイズをカラーバースト信号と誤認識して色付けを行った場合も、強制的な色消え処理を行い不要色付けが防がれる。なお、図９は、上述の図１６に、本実施形態における強制的色消え処理による再生画像の色状態を示している。
【００６７】
上述より明らかなように、本実施形態においては、第１の実施形態および第２の実施形態における効果に加えて、映像信号Ｓｖｉが白黒画像信号である場合に、映像信号Ｓｖｉの入力時にノイズが単発的に発生しても、映像信号Ｓｖｏに不要な色付きが発生するのを防止できる。
【００６８】
（第４の実施形態）
図１０、図１１、および図１３を参照して、本発明の第４の実施形態にかかるカラーキラー装置について説明する。図１０に示すように、カラーキラー装置ＣＫ４は、図７に示したカラーキラー装置ＣＫ３において、待避メモリ８が待避メモリ８ｄに交換されている。さらに、比較器１０には待避メモリ８ｄから基準値Ｖｒが供給される。
【００６９】
なお、待避メモリ８ｄには、待避メモリ８と同様に連続回数信号Ｓｃを一時的に格納する機能に加えて、複数種類の信号方式或いは信号形態の映像信号Ｓｖｉのそれぞれの信号方式および信号形態毎に、あらかじめ設定されている基準値Ｖｒが格納されている。そして、方式・形態検出器６から出力される方式・形態信号Ｓｆに応じて、入力されている映像信号Ｓｖｉの信号方式或いは信号形態に適合した基準値Ｖｒを比較器１０に供給する。
【００７０】
図１１に、待避メモリ８ｄに格納されている各種方式および形態毎の基準値Ｖｒの例を示す。同図において方式としては、ＮＴＳＣ３．５８、ＰＡＬ−ＢＧＨ１、ＳＥＣＡＭ、およびＮＴＳＣ４．４３の４種類が挙げられている。そして、信号形態としては、Ｃｏｍｐｏｎｅｎｔ、ＹＧ、およびＹＵＶの３種類が挙げられている。そして、これら４種類の方式と３種類の形態のそれぞれの組み合わせにおいて、基準値Ｖｒ（基準値０α〜０γ、基準値１α〜１γ、基準値４α〜４γ、および基準値５α〜５γ）が設定されている。
【００７１】
待避メモリ８ｄは、方式・形態検出器６から出力される方式・形態信号Ｓｆに基づいて、入力中の映像信号Ｓｖｉに対応する基準値Ｖｒを読み出して比較器１０に供給する。そして、比較器１０はカラーキラー装置ＣＫ３におけるのと同様に、連続回数信号Ｓｃと基準値Ｖｒに基づいてキラー制御信号Ｓｋを生成して色帯域増幅器３ｃのカラーキラー処理動作を制御する。なお、カラーキラー装置ＣＫ４においては、カラーキラー装置ＣＫ３におけるカラーキラー処理の制御動作と平行して、待避メモリ８ｄに格納された基準値Ｖｒに基づくカラーキラー処理の制御が行われる。
【００７２】
図１２に、カラーキラー装置ＣＫ４においてのみ行われる待避メモリ８ｄに格納された基準値Ｖｒに基づくカラーキラー処理のフローチャートを示す。同図に示すフローチャートは、概ね、図８に示したカラーキラー装置ＣＫ３に関するフローチャート（ステップＳ１０２〜Ｓ１２０）の上流に、図６に示したカラーキラー装置ＣＫ２に関するフローチャートのＳ２〜Ｓ９が追加されている。但し、ステップＳ８およびＳ９はそれぞれ、ステップＳ８ｄおよびＳ９ｄに置き換えられている。
【００７３】
以下に、図１２を参照して、カラーキラー装置ＣＫ４における待避メモリ８ｄに格納された基準値Ｖｒに基づくカラーキラー処理動作について説明する。カラーキラー装置ＣＫ２におけるのと同様に、ステップＳ２においてノイズ量信号Ｓｎｖが生成され、ステップＳ４およびＳ６を経て、方式・形態信号Ｓｆが生成される。
【００７４】
そして、ステップＳ８ｄにおいて、方式・形態信号Ｓｆに基づいて、入力中の映像信号Ｓｖｉに対応する基準値Ｖｒが待避メモリ８ｄに格納されているか否か判断される。Ｙｅｓと判断される場合は、制御はステップＳ１０４に進む。それ以降は、カラーキラー装置ＣＫ３における処理が実行される。但し、ステップＳ１１０およびステップＳ１１８のそれぞれにおいて、待避メモリ８ｄから読み出されたＶｒとカラーキラー実行連続カウンタ信号Ｓｃｋおよびカラーキラー抑制連続カウンタＳｃｎが比較される。
【００７５】
このように、方式・形態検出器６で検出した入力信号（Ｓｖｉ）の方式および入力形態に対応した基準値Ｖｒをメモリ８ｄより読み出し、比較器１０において、色消え状態カウンタ（Ｓｃｋ）のカウント回数が基準値（Ｖｒ）より大きいなら強制カラーキラーをＯＮし、色付き状態カウンタ（Ｓｃｎ）のカウント回数が基準値より大きいなら強制カラーキラーをＯＦＦして、色帯域増幅器３ｃにおいて強制的に色付きおよび色消えを行い、単発的に発生したノイズによる不要な色付きを防ぐ。
【００７６】
つまり、本実施形態においては、上述の第１、第２、および第３の実施形態における効果に加えて、それぞれ、信号方式や入力形態によって信号レベルが異なる複数種類の映像信号Ｓｖｉを、別の方式や入力形態のものに切り替えた場合に、単発ノイズの発生頻度が変わっても映像信号Ｓｖｏに不要な色付きが発生するのを防止できる。
【００７７】
以上、本発明の実施形態について説明したが、本発明はこれらの実施形態を適宜変更して実施してもよい。例えば、ハードウェアで実現する部分とソフトウェアで実現する部分とを混在させてもよい。
【産業上の利用可能性】
【００７８】
本発明にかかるカラーキラー装置を放送受像機等のシステムに組込むことにより、入力信号の方式や形態に対応した色付きおよび色消え特性を実現できる。
【図面の簡単な説明】
【００７９】
【図１】本発明の第１の実施形態にかかるカラーキラー装置の構成を示すブロック図
【図２】図１に示したカラーキラー装置によるカラーキラー処理の動作を表すフローチャート
【図３】図１に示したカラーキラー装置によるカラーキラー処理後の映像信号の色状況を示す説明図
【図４】本発明の第２の実施形態にかかるカラーキラー装置の構成を示すブロック図
【図５】図４に示したカラーキラー装置の待避メモリに格納されている閾値の説明図
【図６】図４に示したカラーキラー装置によるカラーキラー処理の動作を表すフローチャート
【図７】本発明の第３の実施形態にかかるカラーキラー装置の構成を示すブロック図
【図８】図７に示したカラーキラー装置によるカラーキラー処理の動作を表すフローチャート
【図９】図７に示したカラーキラー装置によるカラーキラー処理後の映像信号の色状況を示す説明図
【図１０】本発明の第４の実施形態にかかるカラーキラー装置の構成を示すブロック図
【図１１】図１０に示したカラーキラー装置の待避メモリに格納されている基準値Ｖｒの説明図
【図１２】図１０に示したカラーキラー装置によるカラーキラー処理の動作を表すフローチャート
【図１３】従来のカラーキラー装置の構成を示すブロック図
【図１４】図１３に示したカラーキラー装置によるカラーキラー処理の動作を表すフローチャート
【図１５】図１３に示したカラーキラー装置によるカラーキラー処理後の再生画像における色付き・色消え動作とノイズ量の関係の説明図
【図１６】図１３に示したカラーキラー装置による白黒映像信号におけるノイズと色付き動作の関係の説明図
【符号の説明】
【００８０】
ＣＫｃ、Ｃｋ１、Ｃｋ２、Ｃｋ３，Ｃｋ４  カラーキラー装置
１  入力端子
２  ノイズ量検出器
３、３ａ、３ｂ、３ｃ  色帯域増幅器
４  出力端子
５、５ａ、５ｂ  ノイズ量比較器
６  信号方式検出器
７、８  待避メモリ
９  カウンタ
１０  比較器
Ｓｖｉ、Ｓｖｏ  映像信号
Ｓｎｖ  ノイズ量信号
Ｔｖｎ、Ｔｖｎ１、Ｔｖｎ２ノイズ量閾値
Ｓｃ  連続回数信号
【図１】
2005192122.tif 000003
【図２】
2005192122.tif 000004
【図３】
2005192122.tif 000005
【図４】
2005192122.tif 000006
【図５】
2005192122.tif 000007
【図６】
2005192122.tif 000008
【図７】
2005192122.tif 000009
【図８】
2005192122.tif 000010
【図９】
2005192122.tif 000011
【図１０】
2005192122.tif 000012
【図１１】
2005192122.tif 000013
【図１２】
2005192122.tif 000014
【図１３】
2005192122.tif 000015
【図１４】
2005192122.tif 000016
【図１５】
2005192122.tif 000017
【図１６】
2005192122.tif 000018